(57)【要約】【課題】車両用シートにおいて背凭れ部と座部の回動軸周辺のフレームの露出を防止する。【解決手段】車両用シート１は、背凭れ部１１の側面フレーム２０を外側方向に挿通し、背凭れ部１１の側面フレーム２０を座部１０のフレーム２１に対し回動させるための回動軸３０と、回動軸３０の外側を覆う軸カバー３１と、背凭れ部１１の表面を覆う表面カバー４０と、表面カバー４０の内側に配置されたプレート５０と、を備えている。表面カバー４０とプレート５０の下部が、互いに重ねられた状態で固定され、軸カバー３１と背凭れ部１１の側面フレーム２０との間に挿入されている。【選択図】図３
2019006319.tif 000002
【特許請求の範囲】
【請求項１】
座部及び背凭れ部を有する車両用シートであって、
前記背凭れ部の側面フレームを外側方向に挿通し、前記背凭れ部の側面フレームを座部のフレームに対し回動させるための回動軸と、
前記回動軸の外側を覆う軸カバーと、
前記背凭れ部の表面を覆う表面カバーと、
前記表面カバーの内側に配置されたプレートと、を備え、
前記表面カバーと前記プレートの少なくとも一部が、互いに重ねられた状態で固定され、前記軸カバーと前記背凭れ部の側面フレームとの間に挿入されている、車両用シート。
【請求項２】
前記表面カバーと前記プレートの少なくとも一部が、互いに分離され、前記分離した表面カバーの一部が前記背凭れ部のバックパッドの外側に配置され、前記分離したプレートの一部が前記バックパッドの内側に配置されている、請求項１に記載の車両用シート。
【請求項３】
前記表面カバーと前記プレートは、縫合されて互いに固定されている、請求項１又は２に記載の車両用シート。
【発明の詳細な説明】
【技術分野】
【０００１】
本発明は、座部及び背凭れ部を有する車両用シートに関する。
【背景技術】
【０００２】
通常、車両用シートは、背凭れ部を座部に対し前後に回動させるリクライニング機能を有する。このリクライニング機能は、背凭れ部のフレームと座部のフレームを回動軸により回動自在に連結することにより実現している（特許文献１、２参照）。
【先行技術文献】
【特許文献】
【０００３】
【特許文献１】特開２０１５−０１３５９４号公報
【特許文献２】特開２０１６−０８８２５５号公報
【発明の概要】
【発明が解決しようとする課題】
【０００４】
しかしながら、上述の回動軸は、軸カバーにより覆われ、その周囲の背凭れ部の表面は表面カバーにより覆われることになるが、例えば背凭れ部が大きく前傾したときに、回動軸の後方側の周辺に表面カバーと軸カバーのどちらにも覆われない領域が生じ、内部のフレームが露出することがあり得る。内部のフレームが露出すると、外観上好ましくない。
【０００５】
本出願はかかる点に鑑みてなされたものであり、背凭れ部と座部の回動軸周辺のフレームの露出を防止できる車両用シートを提供することをその目的の一つとする。
【課題を解決するための手段】
【０００６】
本発明の一態様に係る車両用シートは、座部及び背凭れ部を有する車両用シートであって、前記背凭れ部の側面フレームを外側方向に挿通し、前記背凭れ部の側面フレームを座部のフレームに対し回動させるための回動軸と、前記回動軸の外側を覆う軸カバーと、前記背凭れ部の表面を覆う表面カバーと、前記表面カバーの内側に配置されたプレートと、を備え、前記表面カバーと前記プレートの少なくとも一部が、互いに重ねられた状態で固定され、前記軸カバーと前記背凭れ部の側面フレームとの間に挿入されている。
【０００７】
この態様によれば、表面カバーとプレートの少なくとも一部が、互いに重ねられた状態で固定され、軸カバーと背凭れ部の側面フレームとの間に挿入されているので、例えば背凭れ部が大きく前傾したときにも、回動軸の後方側の周辺に表面カバーと軸カバーのどちらにも覆われない領域が生じることがなく、内部のフレームが露出することを防止できる。
【０００８】
前記表面カバーと前記プレートの少なくとも一部が、互いに分離され、前記分離した表面カバーの一部が前記背凭れ部のバックパッドの外側に配置され、前記分離したプレートの一部が前記バックパッドの内側に配置されていてもよい。かかる場合、プレートが背凭れ部にしっかり固定されるので、表面カバーもしっかり固定され、例えば複数回の回動軸の回動により表面カバーが軸カバーと側面フレームとの間から外れることを防止できる。
【０００９】
前記表面カバーと前記プレートは、縫合されて互いに固定されていてもよい。
【発明の効果】
【００１０】
本発明によれば、車両用シートにおいて、背凭れ部と座部の回動軸周辺のフレームが露出することを防止できる。
【図面の簡単な説明】
【００１１】
【図１】車両用シートの構成の一例を示す斜視図である。
【図２】背凭れ部と座部との回動部分の拡大図である。
【図３】背凭れ部と座部との回動部分のＡ−Ａ断面の説明図である。
【図４】表面カバーを外した状態の背凭れ部と座部との回動部分の拡大図である。
【発明を実施するための形態】
【００１２】
以下、図面を参照して、本発明の好ましい実施の形態について説明する。なお、同一の要素には同一の符号を付し、重複する説明を省略する。また、上下左右等の位置関係は、特に断らない限り、図面に示す位置関係に基づくものとする。さらに、図面の寸法比率は、図示の比率に限定されるものではない。また、以下の実施の形態は、本発明を説明するための例示であり、本発明はこの実施の形態に限定されるものではない。
【００１３】
図１は車両用シート１の構成の一例を示す。例えば車両用シート１は、着座者が座る座部１０と、着座者が背中を凭れかける背凭れ部１１と、ヘッドレスト１２等を有している。車両用シート１は、背凭れ部１１を座部１０に対し前後に回動可能とするリクライニング機能を有する。図２は、背凭れ部１１と座部１０との回動部分の拡大図である。図３は、背凭れ部１１と座部１０との回動部分のＡ−Ａ断面の説明図である。
【００１４】
背凭れ部１１は、内部の左右の両側面に側面フレームを有し、座部１０は、内部の左右の両側面に側面フレームを有している。図３に示すように背凭れ部１１の側面フレーム２０と座部１０の側面フレーム２１が回動軸３０により回動自在に連結されている。回動軸３０は、側面フレーム２０、２１を外側方向（車両用シート１の左右方向の外側方向（図３の右方向））に挿通している。回動軸３０の外側には、回動軸３０を覆う軸カバー３１が設けられている。軸カバー３１は、例えば樹脂により成形されている。図２に示すように軸カバー３１は、その上部に、上方に凸で略三角形状の突出部３１ａを備えている。
【００１５】
図１及び図２に示すように背凭れ部１１の表面は、表面カバー（トリムカバー）４０により覆われている。表面カバー４０は、例えば伸縮性、弾性のある素材、例えば化学繊維や合皮、本皮により形成されている。表面カバー４０の内側には、クッション部としてのバックパッド４１が設けられている。バックパッド４１は、例えばウレタンなどの素材により形成されている。
【００１６】
座部１０の表面は、表面カバー（トリムカバー）７０により覆われている。表面カバー７０は、例えば伸縮性、弾性のある素材、例えば化学繊維や合皮、本皮により形成されている。表面カバー７０の内側には、クッションパッド７１が設けられている。クッションパッド７１は、例えばウレタンなどの素材により形成されている。
【００１７】
図３に示すように回動軸３０の周辺において、回動軸３０及び軸カバー３１の上方には、背凭れ部１１の側面形状を規定する、断面が略方形のバックパッド４１が配置されている。表面カバー４０は、このバックパッド４１の外側面４１ａと底面４１ｂを通り、軸カバー３１と側面フレーム２０との間に挿入されている。これにより、図２に示すように背凭れ部１１と座部１０の回動部分において、背凭れ部１１が前方に回動したときにできる軸カバー３１の後方側の領域Ｒ１が表面カバー４０により覆われる。
【００１８】
図３に示すように表面カバー４０の内側（図３の左側）には、プレート５０が配置されている。プレート５０は、例え表面カバー４０よりも硬い（剛性の高い）材質、例えば樹脂や金属により形成されている。プレート５０は、上下方向に長い薄板状に形成されている。プレート５０の上部は、背凭れ部１１のバックパッド４１と側面フレーム２０との間（バックパッド４１の内側）に挿入されている。プレート５０の下部は、図３及び図４に示すように軸カバー３１と側面フレーム２０との間に挿入されている。図４に示すようにプレート５０の下部は、背凭れ部１１が前方に回動したときにできる軸カバー３１の後方側の領域Ｒ１を覆っている。
【００１９】
表面カバー４０とプレート５０の下部は、互いに縫合されている（図３に縫合部６０を示す。）。すなわち表面カバー４０とプレート５０の下部は、互いに重ねられた状態で固定され、上方から軸カバー３１と側面フレーム２０との間に挿入され、挟み込まれている。なお、さらに表面カバー４０とプレート５０の下端部は、側面フレーム２０と側面フレーム２１の間に挟まれていてもよい。
【００２０】
本実施の形態によれば、表面カバー４０とプレート５０の下部が、互いに重ねられた状態で固定され、軸カバー３１と側面フレーム２０との間に挿入されているので、背凭れ部１１と座部１０の回動部分において、背凭れ部１１が前方に回動したときにできる軸カバー３１の後方側の領域Ｒ１が表面カバー４０により覆われる。そして、プレート５０により表面カバー４０がしっかり押さえられるので、背凭れ部１１が前方に回動したときに表面カバー４０が軸カバー３１等により押されて軸カバー３１と側面フレーム２０との隙間から外れることを防止できる。よって、背凭れ部１１と座部１０の回動軸３０の周辺のフレーム２０、２１が露出することを防止できる。また、表面カバー４０がプレート５０に固定されていることにより表面カバー４０にシワが発生することを抑制できる。この結果、車両用シート１の外観が向上する。
【００２１】
表面カバー４０とプレート５０の上部が、互いに分離され、分離した表面カバー４０の上部が背凭れ部１１のバックパッド４１の外側に配置され、分離したプレート５０の上部がバックパッド４１の内側に配置されている。この結果、プレート５０が背凭れ部１１にしっかり固定されるので、表面カバー４０が軸カバー３１と側面フレーム２０の隙間から外れることをより十分に防止できる。
【００２２】
表面カバー４０とプレート５０は、縫合されて互いに固定されているので、表面カバー４０とプレート５０を固定する工程を簡単に行うことができる。
【００２３】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００２４】
例えば上記実施の形態で記載した側面フレーム２０、２１、回動軸３０、軸カバー３１、表面カバー４０、バックパッド４１、プレート５０等の形状、構造はこれに限られない。座部１０、背凭れ部１１の構成や、車両用シート１の全体構成も上記実施の形態のものに限られない。
【産業上の利用可能性】
【００２５】
本発明は、背凭れ部と座部の回動軸周辺のフレームの露出を防止できる車両用シートを実現する際に有用である。
【符号の説明】
【００２６】
１  車両用シート
１０  座部
１１  背凭れ部
２０  側面フレーム
２１  側面フレーム
３０  回動軸
３１  軸カバー
４０  表面カバー
４１  バックパッド
７１  クッションパッド
５０  プレート
Ｒ１  領域
【図１】
2019006319.tif 000003
【図２】
2019006319.tif 000004
【図３】
2019006319.tif 000005
【図４】
2019006319.tif 000006